(57)【要約】本発明は、雨水ますに関するものであり、地面の内部に埋め込まれ、地面から流入した雨水が収容される雨水貯蔵槽（１００）と；前記雨水貯蔵槽（１００）の上面部に回動可能に組付けられるとともに、表面に等間隔に配置されて雨水を前記雨水貯蔵槽（１００）に流入させる複数個の濾し格子・歯車歯状バー（２２０）が備えられているグレーチング（２００）と；前記雨水貯蔵槽（１００）の内部に備えらられ、雨水に含まれたゴミを濾し取るゴミ収集箱（４００）と；前記雨水貯蔵槽（１００）の上端部に備えられ、前記ゴミ収集箱（４００）を支持する収集箱支持台（３００）と；を含むことを特徴とする。
2021508012.tif 000002
【特許請求の範囲】
【請求項１】
地面の内部に埋め込まれ、地面から流入した雨水が受け入れられる雨水貯蔵槽（１００）と、
前記雨水貯蔵槽（１００）の上面に回動可能に組付けられ、表面に等間隔に配置されて雨水を前記雨水貯蔵槽（１００）に流入させる複数個の濾し格子・歯車歯状バー（２２０）が備えられているグレーチング（２００）と、
前記雨水貯蔵槽（１００）の内部に備えられ、雨水に含まれたゴミを濾し取るゴミ収集箱（４００）と、
前記雨水貯蔵槽（１００）の上部に備えられ、前記ゴミ収集箱（４００）を支持する収集箱支持台（３００）と、
を含むことを特徴とする雨水ます。
【請求項２】
前記雨水貯蔵槽（１００）は、
雨水が受け入れられる貯蔵槽本体（１１０）と、
前記貯蔵槽本体（１１０）の上方に延長形成されて前記グレーチング（２００）が組付けられるグレーチング挿入管（１２０）と、
前記貯蔵槽本体（１１０）の側壁に組付けられて雨水を外部へと排出する雨水排出管（１３０）と、を含むことを特徴とする、請求項１に記載の雨水ます。
【請求項３】
前記グレーチング（２００）は、
前記グレーチング挿入管（１２０）の内部に挿入され、前記濾し格子・歯車歯状バー（２２０）が備え付けられているグレーチングフレーム（２１０）と、
前記グレーチングフレーム（２１０）の内部に等間隔に横方向に配置される複数個の補強フレーム（２３０）と、
最も外側の補強フレーム（２３０）から内側へと突出して形成されて、土を前記雨水貯蔵槽（１００）内に流入させる土砂流入歯列（２４０）と、を含むことを特徴とする、請求項２に記載の雨水ます。
【請求項４】
前記貯蔵槽本体（１１０）と、前記グレーチング挿入管（１２０）との間の境界領域にて、内側へと向かって一定の面積で形成されて前記グレーチングフレーム（２１０）が据え付けられて支持されるグレーチング据付面（１２１）をさらに含み、
前記収集箱支持台（３００）は、内部に、前記ゴミ収集箱（４００）が差し込まれる収集箱組付孔（３１０）が貫通形成され、
前記収集箱支持台（３００）は、前記雨水貯蔵槽（１００）の壁面に、第１回動結合部材（３２０）によってヒンジ結合されることを特徴とする、請求項３に記載の雨水ます。
【請求項５】
前記ゴミ収集箱（４００）は、
内部にゴミが収容され、板面に複数個の雨水排出孔（４１１）が形成され、前記収集箱組付孔（３１０）の内部へと差し込まれる収集箱本体（４１０）と、
前記収集箱本体（４１０）の上端に一定の面積で延長形成され、前記収集箱組付孔（３１０）が形成された収集箱支持台（３００）に据え付けられる支持台据付フレーム（４２０）と、
前記支持台据付フレーム（４２０）を前記収集箱支持台（３００）に回動可能に組付ける第２回動結合部材（４６０）と、を含むことを特徴とする、請求項４に記載の雨水ます。
【請求項６】
前記収集箱本体（４１０）は、前記収集箱支持台（３００）に回動可能にヒンジ結合され、
前記収集箱本体（４１０）における前記収集箱支持台（３００）とヒンジ結合された側の壁面には、残余雨水が排出される残余雨水排出孔（４１３）が貫通形成されており、
前記残余雨水排出孔（４１３）には、前記収集箱本体（４１０）が前記収集箱支持台（３００）に対して回動する際、前記収集箱本体（４１０）の自重によって開閉される側面ドア（４４０）が組付けられることを特徴とする、請求項５に記載の雨水ます。
【請求項７】
前記グレーチング（２００）は、両側に、外側へと突出形成された一対の回動軸（２５０）が備えられており、
前記グレーチング挿入管（１２０）の両側の壁面には、前記回動軸（２５０）が差し込まれる回動軸挿入スリット（１２３）が円弧状に形成されていることを特徴とする、請求項６に記載の雨水ます。
【請求項８】
前記濾し格子・歯車歯状バー（２２０）の上面は、すべり防止のための凹凸が形成されていることを特徴とする、請求項３に記載の雨水ます。
【請求項９】
前記ゴミ収集箱（４００）は、前記収集箱支持台（３００）に回動可能に組付けられており、前記収集箱支持台（３００）は、前記雨水貯蔵槽（１００）の内部に回動可能に組付けられており、外力によって前記収集箱支持台（３００）が、前記雨水貯蔵槽（１００）に対し、垂直を向くように回動すると、前記ゴミ収集箱（４００）は、自重によって前記収集箱支持台（３００）に対して自動で回動しつつ内部のゴミを外部に排出することを特徴とする、請求項４に記載の雨水ます。
【請求項１０】
前記収集箱本体（４１０）の少なくとも一つの外側の壁面に組付けられ、前記収集箱本体（４１０）内に収容された残余雨水の圧力によって前記外側壁面から離隔するように広がって残余雨水を外部へと排出するオーバーフローゴム板（４５０）を含むことを特徴とする、請求項５に記載の雨水ます。
【発明の詳細な説明】
【技術分野】
【０００１】
本発明は、雨水ますに関し、より詳細には、雨水に含まれた異物を濾し取ることができる雨水ますに関する。
【背景技術】
【０００２】
一般に、雨水ます（又は、雨水受け）は、道路建設に当たって路面排水のために必ず設置されるように施設基準に明示されている。
【０００３】
従来の雨水ますの一例が、登録実用新案第２０−０４３１１０９号“異物取り除き機能を有する雨水ます”に開示されたことがある。
【０００４】
図１は、従来の雨水ます１０が路面Ｇに設置された状態を示す例示図である。図示のように、従来の雨水ます１０は、路面Ｇの下部に集水槽１１が設置され、集水槽１１の側面に排水管１３が形成され、集水槽１１に集まった雨水を雨水管渠（図示せず）に排出させる。
【０００５】
集水槽１１の上部には、雨水が流入する孔が形成されたグレーチング（ｇｒａｔｉｎｇ）１５が据え付けられる。
【０００６】
このような構成を有する従来の雨水ます１０は、グレーチング１５が集水槽１１の上端部の据え付け面１２に据え付けられた状態で使用され、集水槽１１の内部の掃除又は保守のためにはグレーチング１５を上方に持ち上げて集水槽１１から分離する。
【０００７】
ところが、雨水ます１０が路面に設置されるため、グレーチング１５と据え付け面１２との間の隙間に多量の土が流入し、作業者がグレーチング１５を持ち上げ難い場合がある。この場合、作業者が、グレーチング１５と据え付け面１２との間の隙間に挟まった土砂を、いちいち除去した後、グレーチング１５を持ち上げなければならず、面倒だった。このため、雨水ます１０の掃除と管理に非常に多い時間がかかるという問題があった。
【０００８】
また、従来のグレーチング１５は、雨水ます１０と独立して設けられているため、歩行者による紛失事故がしばしば起きるという問題があった。
【０００９】
また、従来の雨水ます１０は、内部に雨水と一緒に落葉やゴミが流入しても、これらを濾過する手段がないため、長時間使用する場合、落葉やゴミが腐敗して悪臭がするという問題があった。
【００１０】
このような問題を解決するために、雨水ますの内部に、異物を濾し取る濾しざるが備え付けられることもあるが、作業者がグレーチング１５を分離した後、濾しざるを個別に外部に分離して異物を除去しなければならず、雨水ますのメンテナンスに多くの時間と労力がかかるという問題があった。
【発明の概要】
【発明が解決しようとする課題】
【００１１】
本発明の目的は、上述した問題を解決するためのものであり、グレーチングの紛失を防止できるとともに、土が流入してもグレーチングを容易に開閉できる雨水ますを提供することである。
【００１２】
本発明の他の目的は、内部に集められた異物によって悪臭が発生することを減らすことができる雨水ますを提供することである。
【００１３】
本発明のさらに他の目的は、ゴミ収集箱を自動的に排出されて、作業者の作業時間を減らすことができる雨水ますを提供することである。
【００１４】
本発明の前記目的と様々な長所は、この技術分野における熟練した者によって、本発明の好ましい実施例から、より明確になるであろう。
【課題を解決するための手段】
【００１５】
本発明の目的は、雨水ますによって達成され得る。本発明の雨水ますは、地面の内部に埋め込まれ、地面から流入した雨水が収容される雨水貯蔵槽（１００）と；前記雨水貯蔵槽（１００）の上面に回動可能に組付けられ、表面に等間隔に配置されて雨水を前記雨水貯蔵槽（１００）に流入させる複数個の濾し格子・歯車歯（歯車の歯）状バー（２２０）が備えられているグレーチング（２００）と；前記雨水貯蔵槽（１００）の内部に備えられ、雨水に含まれたゴミを濾し取るゴミ収集箱（４００）と；前記雨水貯蔵槽（１００）の上部に備え付けられて、前記ゴミ収集箱（４００）を支持する収集箱支持台（３００）を含むことを特徴とする。
【００１６】
一実施例によれば、前記雨水貯蔵槽（１００）は、雨水が収容される貯蔵槽本体（１１０）と；前記貯蔵槽本体（１１０）の上部に延長形成され、前記グレーチング（２００）が組付けられるグレーチング差込管（１２０）と；前記貯蔵槽本体（１１０）の側壁に組付けられて雨水を外部に排出する雨水排出管１３０を含むことができる。
【００１７】
一実施例によれば、前記グレーチング（２００）は、前記グレーチング挿入管（１２０）の内部に挿入され、前記濾し格子・歯車歯状バー（２２０）が形成されているグレーチングフレーム（２１０）と；前記グレーチングフレーム（２１０）の内部に等間隔に横方向に配置される複数個の補強フレーム（２３０）と；最外側の補強フレーム（２３０）の内側に突出して形成されて土を前記雨水貯蔵槽（１００）の内部に流入させる土砂流入歯列（２４０）を含むことができる。
【００１８】
一実施例によれば、前記貯蔵槽本体（１１０）と前記グレーチング挿入管（１２０）との間の境界領域に、内側方向に一定の面積で形成されて前記グレーチングフレーム（２１０）が据え付けられて支持されるグレーチング据え付け面１２１をさらに含むのであり、前記収集箱支持台（３００）は、内部に、前記ゴミ収集箱（４００）が挿入される収集箱組付孔（３１０）が貫通形成されており、前記収集箱支持台（３００）は前記雨水貯蔵槽（１００）の壁面に第１回動結合部材（３２０）によってヒンジ結合され得る。
【００１９】
一実施例によれば、前記ゴミ収集箱（４００）は、内部にゴミが収容されるのであり、板面に複数個の雨水排出孔（４１１）が形成され、前記収集箱組付孔（３１０）の内部に挿入される収集箱本体（４１０）と；前記収集箱本体（４１０）の上端に一定の面積で延長形成され、前記収集箱組付孔（３１０）が形成された収集箱支持台（３００）に据え置かれる支持台据置きフレーム（４２０）と；前記支持台据置きフレーム（４２０）を前記収集箱支持台（３００）に回動可能に結合させる第２回動結合部材（４６０）を含むことができる。
【００２０】
一実施例によれば、前記収集箱本体（４１０）は、前記収集箱支持台（３００）に回動可能にヒンジ結合されており、前記収集箱本体（４１０）における前記収集箱支持台（３００）にヒンジ結合された側の壁面には、残余の雨水が排出される残余雨水排出孔（４１３）が貫通形成されており、前記残余雨水排出孔（４１３）には、前記収集箱本体（４１０）が前記収集箱支持台（３００）に対して回動される際に、前記収集箱本体（４１０）の自重によって開閉される、側面ドア（４４０）が組付けられ得る。
【００２１】
一実施例によれば、前記グレーチング（２００）は、両側に、外側へと突出形成された一対の回動軸（２５０）を備えており、前記グレーチング挿入管（１２０）における両側の壁面には、前記回動軸（２５０）が挿入される回動軸挿入スリット（１２３）が円弧状に形成され得る。
【００２２】
一実施例によれば、前記濾し格子・歯車歯状バー（２２０）の上面には、すべり防止のための凹凸が形成され得る。
【００２３】
一実施例によれば、前記ゴミ収集箱（４００）は、前記収集箱支持台（３００）に回動可能に組付けられており、前記収集箱支持台（３００）は、前記雨水貯蔵槽（１００）の内部に、回動可能に組付けられていて、外力によって、前記収集箱支持台（３００）が前記雨水貯蔵槽（１００）に対して垂直となるように回動すると、前記ゴミ収集箱（４００）は、自重によって前記収集箱支持台（３００）に対して自動で回動されて内部のゴミを外部へと排出することができる。
【００２４】
一実施例によれば、前記収集箱本体（４１０）の少なくとも一つの外側壁面に組付けられるとともに、前記収集箱本体（４１０）の内部に収容された残余の雨水の圧力によって、前記外側壁面から離隔するように広がることで残余の雨水を外部へと排出する、オーバーフローゴム板（４５０）を含むことができる。
【発明の効果】
【００２５】
本発明に係る雨水ますは、グレーチングが、雨水貯蔵槽の上部に、回動軸によって回動されることで開閉が可能なように組付けられる。これによってグレーチングの紛失を防止することができる。
【００２６】
また、グレーチングの先端の下部に、複数個の土砂流入歯が形成され、グレーチングと雨水貯蔵槽との間に流入する土砂を、雨水貯蔵槽の下部に流入させる。これによって、グレーチングと雨水貯蔵槽との間に土砂が堆積して、グレーチングの開放が難しかった従来の問題を解決することができる。
【００２７】
そして、グレーチングの回動軸が組付けられる、雨水貯蔵槽の回動軸挿入スリットが、円弧状に形成され、回動軸が回動軸挿入スリットに沿って移動しつつグレーチングが開閉されるので、元の同じ位置で回転する方式に比べて、より円滑にグレーチングが開閉されうるという長所がある。
【００２８】
また、本発明の雨水ますは、ゴミ収集箱にオーバーフローゴム板が備え付けられるので、内部にゴミが積もっていても、雨水の水圧によってオーバーフローゴム板が広がって雨水を外部へと排出することができる。これによって、雨水が外部に排出され得ずにグレーチングの外側へと逆流することを防止できるのであり、長時間、汚物が雨水中に収容されて悪臭が発生していたのを減らすことができる。
【００２９】
また、本発明の雨水ますは、収集箱支持台が雨水貯蔵槽に回動可能に組付けられれ、ゴミ収集箱が収集箱支持台に回動可能に組付けられる。これによって、作業者が収集箱支持台を回動させる動作に連動して、ゴミ収集箱が自動でひっくり返って、内部のゴミが外部に排出され得る。
【００３０】
また、ゴミ収集箱の側面に組付けられた側面ドアが開放され、内部に残留する残余の雨水を外部に排出することができる。
【００３１】
これによって、作業者の作業動線が短くなり、雨水ますの掃除及び管理にかかる時間を減らすことができる。
【図面の簡単な説明】
【００３２】
【図１】従来の雨水ますが路面に設置された状態を示す例示図である。
【図２】本発明の雨水ますの構成を示す斜視図である。
【図３】本発明の雨水ますの構成を分解して示す分解斜視図(1)である。
【図４】本発明の雨水ますの構成を分解して示す分解斜視図(2)である。
【図５】本発明の雨水ますにおける雨水貯蔵槽の構成を示す斜視図である。
【図６】本発明のグレーチングの外部構成を示す斜視図である。
【図７】グレーチングと雨水貯蔵槽との結合領域の断面構造を示す断面図である。
【図８】本発明のゴミ収集箱の構成を示す斜視図である。
【図９】本発明のゴミ収集箱と収集箱支持台との結合構造を示す分解斜視図である。
【図１０】本発明の雨水ますが路面に設置された状態で雨水が自動で排出される過程を示す例示図である。
【図１１】本発明の雨水ますのゴミ収集箱のゴミを外部に排出する過程を示す例示図(1)である。
【図１２】本発明の雨水ますのゴミ収集箱のゴミを外部に排出する過程を示す例示図(2)である。
【図１３】本発明の雨水ますのゴミ収集箱のゴミを外部に排出する過程を示す例示図(3)である。
【発明を実施するための形態】
【００３３】
本発明を十分に理解させるために本発明の好ましい実施例を添付の図面を参照して説明する。本発明の実施例は様々な形態に変形可能であり、本発明の範囲が以下に詳述する実施例に限定されるものと解釈されてはならない。本実施例は、当業界で平均的な知識を有する者に、本発明をより完全に説明するために提供されるものである。したがって、図面における要素の形状などは、より明確な説明を強調するために誇張して表現されることもあり得る。各図にて同一の部材は同一の参照符号で示す場合があることに留意されたい。本発明の要旨を不必要にぼやけさせ得ると判断される、公知の機能及び構成についての詳細な記述は省略される。
【００３４】
図２は、本発明の雨水ます１の構成を示す斜視図であり、図３及び図４は、雨水ます１の構成をそれぞれ異なる角度から分解して示す分解斜視図である。
【００３５】
図示のように、本発明の雨水ます１は、路面の内部に、埋め込まれるように備え付けられるのであり、雨水が集められる雨水貯蔵槽１００と、雨水貯蔵槽１００に回動可能に組付けられるとともに、雨水を雨水貯蔵槽１００に流入させるグレーチング２００と、雨水貯蔵槽１００の内部に収容されるとともに、雨水に含まれたゴミを取って集めるゴミ収集箱４００と、ゴミ収集箱４００を雨水貯蔵槽１００に対して支持する収集箱支持台３００を含む。
【００３６】
ここで、本発明の雨水ます１は、グレーチング２００が雨水貯蔵槽１００に回動可能に結合されるので、従来のグレーチング（図１の１５）のように紛失する危険が解消される。また、グレーチング２００に土砂を内部に流入させる構造を追加するようにして、グレーチング２００と雨水貯蔵槽１００との間に充填された土砂によりグレーチング２００の分離が難しくなるという不便さを解消することができる。
【００３７】
また、本発明の雨水ます１は、内部にゴミ収集箱４００を備えて、ゴミを取って集め、ゴミ収集箱４００内の雨水が自動で外部に排出されるようにすることで、ゴミによって悪臭が発生するという問題を減らすことができる。
【００３８】
また、本発明の雨水ます１は、作業者が収集箱支持台３００を外部へと引き離す動作によって、ゴミ収集箱４００が自動でひっくり返って、外部へとゴミが排出されるので、作業者が雨水ますを掃除及び管理する作業時間を減らすことができる。
【００３９】
雨水貯蔵槽１００は、路面の内部へと差し込まれ、グレーチング２００から流入する雨水が貯蔵される。雨水貯蔵槽１００は、図５に示すように、雨水が貯蔵される貯蔵槽本体１１０と、貯蔵槽本体１１０の上方に延長形成され、グレーチング２００が組付けられるグレーチング挿入管１２０と、貯蔵槽本体１１０の側壁に組付けられて雨水を外部へと排出する雨水排出管１３０とを含む。
【００４０】
貯蔵槽本体１１０は、雨水が貯蔵され得る体積を有する函体状に形成される。本発明の好ましい実施例に係る貯蔵槽本体１１０は、直方体状に形成されているが、場合によって他の形状に形成されてもよい。
【００４１】
貯蔵槽本体１１０は、路面の下方に長期間に埋設されており、水と接触するので、耐久性を持つ金属材質で形成されるか、または、場合によってコンクリート材質で形成され得る。貯蔵槽本体１１０の上端は、雨水の流入が可能なように開放形成される。
【００４２】
貯蔵槽本体１１０の上部の両側の内壁面には、内側を向いて突出形成された支持台支え突起１１５が複数個設けられる。支持台支え突起１１５は、図７の（ｂ）に示すように、収集箱支持台３００の下部を支持し、ゴミ収集箱４００の重さによって収集箱支持台３００が下部に落下することを防止する。図面には左右２個ずつの支持台支え突起１１５が設けられているが、場合に応じてその数は増減可能である。
【００４３】
グレーチング挿入管１２０は、貯蔵槽本体１１０の上方に延長形成され、グレーチング２００が組付けられる。グレーチング挿入管１２０は、貯蔵槽本体１１０の面積よりも一定の面積だけ大きく形成される。これによって、貯蔵槽本体１１０と、グレーチング挿入管１２０との境界の領域には、段差の付いたグレーチング据え付け面１２１が、一定の面積で形成される。
【００４４】
グレーチング挿入管１２０は、グレーチング２００の面積に対応する大きさに形成されており、グレーチング挿入管１２０の内部に挿入されたグレーチング２００は、グレーチング据え付け面１２１に据え付けられる。
【００４５】
グレーチング挿入管１２０の両側の壁面には、回動軸挿入スリット１２３が形成される。回動軸挿入スリット１２３は、グレーチング２００の両側に突出形成された回動軸２５０が挿入され、グレーチング２００を回動可能に支持する。
【００４６】
ここで、回動軸挿入スリット１２３は、グレーチング２００の回動半径を考慮して円弧状に形成される。これによって、グレーチング２００が回動する際に、回動軸２５０が回動軸挿入スリット１２３に沿って移動する。
【００４７】
回動軸２５０が移動しつつグレーチング２００が回動するので、作業者がグレーチング２００を開放する際、グレーチング２００とグレーチング挿入管１２０との間に土が詰まっていてもグレーチング２００が、より容易に回動可能になる。
【００４８】
すなわち、回動軸２５０が固定された状態で回転する場合、土が詰まっていると動ける余裕の空間がないが、円弧状の回動軸挿入スリット１２３に沿って回動軸２５０が移動する場合には、土が詰まっていてもグレーチング２００が動ける余裕の空間を確保することができ、より容易に開放され得る。
【００４９】
雨水排出管１３０は、貯蔵槽本体１１０の側壁に組付けられ、地下に備えられた下水管渠に連結されて、雨水を外部へと排出する。
【００５０】
グレーチング２００は、雨水貯蔵槽１００の上端部に組付けられて、雨水を雨水貯蔵槽１００の内部へと流入させ、大きい異物は濾し取る。図６は、グレーチング２００を示す斜視図である。
【００５１】
図示のように、本発明のグレーチング２００は、グレーチング挿入管１２０内に差し込まれるグレーチングフレーム２１０と、グレーチングフレーム２１０の内部に等間隔に縦方向に配置される複数個の濾し格子・歯車歯状バー２２０と、グレーチングフレーム２１０の内部に等間隔に横方向に配置される複数個の補強フレーム２３０と、最も外側の補強フレーム２３０ａから内側へと突出形成されて、土を雨水貯蔵槽１００の内部へと流入させる土砂流入歯列２４０と、グレーチングフレーム２１０から両側へと突出する一対の回動軸２５０とを含む。
【００５２】
グレーチングフレーム２１０は、図３及び図６に示すように、一対の水平フレーム２１１と、一対の垂直フレーム２１３とを含む。一対の水平フレーム２１１と、一対の垂直フレーム２１３とは、内部に、濾し格子・歯車歯状バー２２０が収容される空間を形成する。
【００５３】
図７の（ａ）に示すように、一対の水平フレーム２１１は、雨水貯蔵槽１００をグレーチング２００で閉じた状態で、グレーチング挿入管１２０の上端との間で互いに、水平に位置するように配置されて、段差が形成されないようにする。一対の垂直フレーム２１３は、図７の（ｂ）に示すように、グレーチング２００が閉じた状態で、グレーチング据置き面１２１に据え置かれ、上部に印加される荷重によってもグレーチング２００に垂れ下がりが発生しないように支持する。
【００５４】
濾し格子・歯車歯状バー２２０は、水平フレーム２１１と垂直フレーム２１３との間の空間に、等間隔に複数個が形成され、雨水貯蔵槽１００に雨水を流入させる。濾し格子・歯車歯状バー２２０の間隔が狭いほど雨水貯蔵槽１００に流入する落葉やゴミクズといった異物の遮断効果を高くできるが、雨水の速い流入を妨害し得る。濾し格子・歯車歯状バー２２０の上面には、図３に示すように、凹凸が形成され、歩行者が滑るのを防止することができる。
【００５５】
補強フレーム２３０は、濾し格子・歯車歯状バー２２０に横方向に等間隔に複数個が備えられる。濾し格子・歯車歯状バー２２０は、垂直フレーム２１３よりも高さが低く形成されるのであり、補強フレーム２３０は、垂直フレーム２１３と等しい高さに形成される。これによって、補強フレーム２３０の両端もグレーチング据置き面１２１に据え置かれ、上部に印加される荷重を垂直フレーム２１３と共に分散支持する。
【００５６】
土砂流入歯列２４０は、両端に配置された最も外側の補強フレーム２３０ａから下方に突出形成され、上方から流入する土砂を雨水貯蔵槽１００の下部へと移動させる。最も外側の補強フレーム２３０ａは、グレーチング挿入管１２０と隣接して位置する。グレーチング２００が閉じられた際、最も外側の補強フレーム２３０ａと、グレーチング挿入管１２０との間に、土砂が流入して積層されると、作業者がグレーチング２００を開けるのが難しくなる。
【００５７】
土砂流入歯列２４０は、このような難しさを解決するためのものであり、最も外側の補強フレーム２３０ａの下部に、等間隔に複数個の歯が形成され、図７の（ａ）に示すように、隣り合う土砂流入歯列２４０の歯の間を通して、上方から流入した土砂Ａを、雨水貯蔵槽１００の側へと移動させる。
【００５８】
ここで、最も外側の補強フレーム２３０ａは、内部に位置している補強フレーム２３０よりも高さ寸法が小さく形成され、その下方に土砂流入歯列２４０が形成される。土砂流入歯列２４０の高さと、最も外側の補強フレーム２３０ａの高さとの合計の高さは、内部に位置している補強フレーム２３０と等しい高さに形成される。
【００５９】
ここで、土砂流入歯列２４０の高さが高く、隣り合う、土砂流入歯列２４０の歯の間の間隔が広いほど、土砂Ａが雨水貯蔵槽１００の側へと速く移動し、グレーチング挿入管１２０と最外側補強フレーム２３０ａとの間に土砂が積層される速度が遅くなる。
【００６０】
回動軸２５０は、垂直フレーム２１３の端部から突出して備えられ、グレーチング２００を雨水貯蔵槽１００に対して回動可能に支持する。回動軸２５０は、雨水貯蔵槽１００の上端に形成された回動軸挿入スリット１２３に受入られる。
【００６１】
前述したように、グレーチング２００が閉じた時は、図７の（ａ）に示すように、回動軸２５０が回動軸挿入スリット１２３の上端に位置し、グレーチング２００が開いた時は、図１１に拡大して示すように、回動軸２５０が回動軸挿入スリット１２３の下端に位置する。
【００６２】
このように回動軸２５０が、グレーチング２００の開閉時に、回動軸挿入スリット１２３に沿って移動しつつグレーチング２００が上下左右に一定範囲内で移動し得るようにしたことから、グレーチング２００とグレーチング挿入管１２０との間が土砂で埋まっていても、グレーチング２００が、土砂を押し出しながら開閉され得る。
【００６３】
回動軸２５０の外側には軸保護キャップ２７０が組付けられている。軸保護キャップ２７０は、回動軸２５０が組付けられている回動軸挿入スリット１２３に土砂が流入することを防止するために用いられる。回動軸挿入スリット１２３に土砂が詰まって回動軸２５０が移動し難くなると、グレーチング２００の円滑な開閉が困難になるためである。
【００６４】
一方、図３に示すように、グレーチング２００の内部にはフック挿入孔２６０が一定の大きさに形成される。フック挿入孔２６０は、グレーチング２００の開放のために、図１１に示すように、回動加圧部材５００が組付けられる空間である。
【００６５】
作業者は、グレーチング２００を開放するために、回動加圧部材５００の先端にある結合フック５１０を、フック挿入孔２６０に差し込んで力を加える。フック挿入孔２６０は、通常、２本の濾し格子・歯車歯状バー２２０が除去される範囲で形成され得るが、場合に応じて範囲を増減させ得る。
【００６６】
収集箱支持台３００は、ゴミ収集箱４００を雨水貯蔵槽１００に結合させる。特に、本発明の収集箱支持台３００は、雨水貯蔵槽１００に、回動可能に組付けられ、ゴミ収集箱４００が自動で排出されるように支持する。
【００６７】
図３及び図４に示すように、収集箱支持台３００は、雨水貯蔵槽１００の貯蔵槽本体１１０の内部空間に対応する面積の板状材でもって形成される。収集箱支持台３００の内部には、ゴミ収集箱４００を受け入れる収集箱結合孔３１０が貫通形成される。
【００６８】
収集箱結合孔３１０は、ゴミ収集箱４００の収集箱本体４１０の上部の面積に対応するように備えられ、ゴミ収集箱４００が、収集箱結合孔３１０の上方から下方へと嵌め込まれる。
【００６９】
収集箱支持台３００の端部には第１回動結合部材３２０が複数個備えられる。第１回動結合部材３２０は、雨水貯蔵槽１００の第１回動結合孔１１１に組付けられる。これによって、収集箱支持台３００は、図１１に示すように貯蔵槽本体１１０に水平に組付けられることや、図１２に示すように貯蔵槽本体１１０に対して垂直方向に回動することが可能である。
【００７０】
図１１に示すように、収集箱支持台３００が貯蔵槽本体１１０に対して水平に位置する時、収集箱支持台３００の一端は、第１回動結合部材３２０によって位置が支持され、他端は、貯蔵槽本体１１０の両側の側壁から突出して形成された、支持台支え突起１１５によって支持される。
【００７１】
すなわち、図７の（ｂ）に示すように、支持台支え突起１１５の上面に収集箱支持台３００が載せ置かれ、収集箱支持台３００と、これに組付けられているゴミ収集箱４００が、水平な状態を維持する。
【００７２】
一方、収集箱組付孔３１０が形成された枠縁領域には、第２回動結合孔３３０が形成される。第２回動結合孔３３０には、ゴミ収集箱４００の第２回動結合部材４６０が結合され、ゴミ収集箱４００が回動可能に支持される。
【００７３】
ゴミ収集箱４００は、収集箱支持台３００によって雨水貯蔵槽１００の上部に配置され、雨水と一緒に内部に流入する異物を濾過して、下水管への異物の流入を防止する。本発明のゴミ収集箱４００は、収集箱支持台３００の回動に連動して自動で回動し、内部に収容されたゴミが外部に排出されるようにする。これによって、作業者が手作業でゴミ収集箱４００を分離しなければならない不便さをなくすことができる。
【００７４】
また、本発明のゴミ収集箱４００は、内部にゴミが満たされて雨水が排出され得ないこととなって悪臭が発生することを防止するために、雨水の重さによって雨水がオーバーフローされるようにして、悪臭の発生を減らすことができる。
【００７５】
図８は、ゴミ収集箱４００の構成を示す斜視図であり、図９は、ゴミ収集箱４００の構成を分解して示す分解斜視図である。
【００７６】
図示のように、ゴミ収集箱４００は、板面に複数個の雨水排出孔４１１が貫通形成された収集箱本体４１０と、収集箱本体４１０の上部に設けられ、収集箱本体４１０が収集箱支持台３００に据え置かれるようにする支持台据置フレーム４２０と、収集箱本体４１０の一方の側の壁面に、開閉可能に結合された側面ドア４４０と、収集箱本体４１０の両側の壁面に、雨水の重さによって開閉可能に組付けられたオーバーフローゴム板４５０とを含む。
【００７７】
収集箱本体４１０は、上部が開放された、かご状に形成される。収集箱本体４１０は、一方の側壁が内側に傾斜して形成され、上部から流入する落葉やゴミクズといった異物を、底側へと案内する。
【００７８】
収集箱本体４１０の板面には、縦長に形成された複数個の雨水排出孔４１１が貫通形成される。これによって、収集箱本体４１０内に流入した雨水が雨水貯蔵槽１００の下部へと排出される。
【００７９】
収集箱本体４１０の一側壁の上端には、雨水排出孔４１１よりも大きい面積で形成された残余雨水排出孔４１３が貫通形成される。残余雨水排出孔４１３には側面ドア４４０が結合され、側面ドア４４０の開放によって、外部に排出されずに内部に収容されている残余雨水を排出する。
【００８０】
グレーチング２００を通じてサイズの大きい異物が一次的に濾し取られた状態で、雨水が収集箱本体４１０へと流入する。この際、雨水中に含まれていた、雨水排出孔４１１よりも大きいサイズのゴミＭは、図１０の（ａ）に示すように、収集箱本体４１０の底面に積もることとなる。このように底面にゴミＭが積もると、底面の雨水排出孔４１１を塞ぎ、雨水が、下方へと排出されずに収集箱本体４１０内に残留することになる。
【００８１】
ゴミは、図１３に示すように、収集箱本体４１０がひっくり返される際に外部へと排出される。このように収集箱本体４１０がひっくり返されると、これと同時に側面ドア４４０が開放されることで、ゴミによって外部に排出されずにいた残余雨水Ｗが、残余雨水排出孔４１３から雨水貯蔵槽１００へと排出され得る。
【００８２】
収集箱本体４１０と、側面ドア４４０の開閉構造の詳細を、次に説明する。
【００８３】
支持台据付フレーム４２０は、収集箱本体４１０の上端の枠縁領域に一定の面積で形成され、収集箱支持台３００の収集箱組付孔３１０の周辺の箇所に据え置かれる。図３に示すように、収集箱結合孔３１０の面積がＷ１×Ｗ２となるように形成されるとき、支持台据付フレーム４２０の面積はＷ３×Ｗ４となるように形成される。ここで、Ｗ１よりもＷ３が大きく形成され、Ｗ２よりもＷ４が大きく形成される。
【００８４】
これによって、収集箱本体４１０を収集箱組付孔３１０に差し込む際、支持台据付フレーム４２０が、収集箱組付孔３１０に掛け止めされるようにして集箱支持台３００に据え付けられる。これに伴い、図１１に示すように、ゴミ収集箱４００は、収集箱支持台３００に対して位置が固定され得る。
【００８５】
ここで、支持台据付フレーム４２０の面積が広いほど収集箱支持台３００に据え付けられる面積が広くなるので、収集箱支持台３００に応力集中が発生せずに荷重が分散され、より安定した据え付けが可能である。
【００８６】
第２回動結合部材４６０は、作業者が収集箱支持台３００を雨水貯蔵槽１００の上方へと持ち上げると、収集箱本体４１０が収集箱支持台３００に対して自重で回動することとなるように支持するのである。第２回動結合部材４６０は、一方の側が支持台据付フレーム４２０に固定され、他方の側が収集箱支持台３００の第２回動結合孔３３０に組付けられる。
【００８７】
収集箱本体４１０は、図４に示すように、収集箱支持台３００が雨水貯蔵槽１００の上端部に水平に積載された際には収集箱支持台３００の内部に収容される。
【００８８】
図１２に示すように、作業者によって収集箱支持台３００が、雨水貯蔵槽１００の上方へと回動して持ち上げられると、支持台据付フレーム４２０が収集箱支持台３００に据え付けられているので、収集箱本体４１０も共に垂直方向を向くように回動する。
【００８９】
収集箱支持台３００が雨水貯蔵槽１００に対して９０°以上回動すると、第２回動結合部材４６０によって、収集箱本体４１０が収集箱支持台３００に対して回動する。地下に一定時間設置されている場合、収集箱本体４１０内には、ゴミＭと残余雨水Ｗが存在する。収集箱支持台３００が９０°以上の角度で回動すると、収集箱本体４１０は、自重によって、第２回動結合部材４６０を中心に収集箱本体４１０がひっくり返る方向へと自動で回動する。
【００９０】
これによって、図１３に示すように、収集箱本体４１０が、収集箱支持台３００の収集箱結合孔３１０から分離されつつひっくり返されて、内部のゴミＭが外部へと排出され得る。
【００９１】
すなわち、作業者が手作業でゴミ収集箱４００を雨水貯蔵槽１００から取り出さなくても、収集箱支持台３００について回動加圧部材５００を用いて９０°以上の角度で回動させる動作に連動して、ゴミ収集箱４００がひっくり返されることで、内部のゴミが外部へと排出され得る。このような動作によって作業者の作業が顕著に減り、雨水ます１のメンテナンスが、より容易になり得る。
【００９２】
側面ドア４４０は、収集箱本体４１０における残余雨水排出孔４１３の外側に組付けられる。側面ドア４４０は、収集箱本体４１０に対して回動可能に組付けられ、図１３に示すように、収集箱本体４１０が収集箱支持台３００に対して回動する際、自重によって収集箱本体４１０から開放され、収集箱本体４１０中の残余雨水Ｗが雨水貯蔵槽１００に排出されるようにする。
【００９３】
側面ドア４４０は、収集箱本体４１０の上部領域に形成された残余雨水排出孔４１３を覆い得るような面積で形成される。側面ドア４４０は、第３回動結合部材４４３によって収集箱本体４１０の壁面に、回動可能に組付けられる。側面ドア４４０の板面には、第３回動結合部材４４３が組付けられる回動結合孔４４１が形成される。
【００９４】
第３回動結合部材４４３は、第２回動結合部材４６０と同じ側にて収集箱本体４１０に組付けられる。これによって、図７の（ａ）に示すように、収集箱支持台３００が、雨水貯蔵槽１００に水平に組付けられているとき、側面ドア４４０は自重によって垂直に配置されて残余雨水排出孔４１３を塞ぐ。残余雨水排出孔４１３を側面ドア４４０が塞いでいるので、内部の残余雨水は外部に排出されずに内部に収容される。
【００９５】
図１２に示すように、収集箱支持台３００が作業者によって垂直に回動すると、側面ドア４４０が第３回動結合部材４４３によって回動し始め、図１３に示すように、自重によって側面ドア４４０が下方に回動して残余雨水排出孔４１３を開放する。
【００９６】
このように残余雨水排出孔４１３が開放されると、収集箱本体４１０内に残留している雨水が側面ドア４４０と収集箱支持台３００を伝って雨水貯蔵槽１００内へと排出される。
【００９７】
オーバーフローゴム板４５０は、収集箱本体４１０の両側に配置され、残余雨水の自重によって広がって、残余雨水を雨水貯蔵槽１００へと排出させる。
【００９８】
図９に示すように、収集箱本体４１０における第２回動結合部材４６０の下側に側面ドア４４０が備えられており、一対のオーバーフローゴム板４５０は、側面ドア４４０を中心に、左右両側に配置される。
【００９９】
オーバーフローゴム板４５０は、内部に収容された残余雨水の圧力によって広がり得る薄いゴム板で形成される。オーバーフローゴム板４５０は収集箱本体４１０の側面を全てカバーできる面積で形成されることが好ましい。
【０１００】
オーバーフローゴム板４５０は一定の長さを有する結合バー４５３によって上端が加圧されるのであり、結合バー４５３は、ボルトといった締付部材４５１によって、収集箱本体４１０に組付けられる。オーバーフローゴム板４５０の上端は、締付部材４５１によって固定され、下端は自由端の形態で配置される。
【０１０１】
図１０の（ａ）に示すように、雨水ます１が路上に設置され、グレーチング２００を通して流水が内部に流入する際、ゴミＭがゴミ収集箱４００内に流入して底面を塞ぎ、残余雨水Ｗが収集箱本体４１０に残ることになる。
【０１０２】
残余雨水の水位が高くない場合、一対のオーバーフローゴム板４５０は収集箱本体４１０の側壁に垂直に取り付けられ、残余雨水Ｗの外部への排出を防ぐ。
【０１０３】
一方、図１０の（ｂ）に示すように、収集箱本体４１０内の残余雨水Ｗの水位が次第に高くなって、残余雨水Ｗの水圧が上昇すると、水圧によってオーバーフローゴム板４５０が外側へと広がり、残余雨水Ｗは、雨水排出孔４１１から外部に排出されて貯蔵槽本体１１０に落下する。
【０１０４】
残余雨水が多い場合、内部に積もっているゴミと共に腐敗して悪臭を出すことがある。本発明のゴミ収集箱４００は、オーバーフローゴム板４５０が雨水の水圧によって収集箱本体４１０の表面にくっ付いたり広がったりする動作によって、収集箱本体４１０内に残留する雨水の量が一定に維持され、悪臭の発生を減らすことができる。
【０１０５】
オーバーフローゴム板４５０の動作によっても外部に排出されなかった残余雨水は、前述したように、側面ドア４４０の開放によって雨水貯蔵槽１００へと排出される。
【０１０６】
一方、４７０で表示された弾性保護部材４７０は、支持台据付フレーム４２０から突出するようにして備えられ、図１３に示すように収集箱本体４１０がひっくり返される際に、路面と支持台据付フレーム４２０とが直接触れて表面が損傷することを防止する。
【０１０７】
このような構成を有する本発明に係る雨水ます１の組立過程と使用の過程を、図２〜図１３を参照して説明する。
【０１０８】
本発明に係る雨水ます１は、図３及び図４に示すように、雨水貯蔵槽１００に、収集箱支持台３００が、第１回動結合部材３２０によって回動可能に組付けられる。そして、収集箱支持台３００の収集箱結合孔３１０に、ゴミ収集箱４００が、第２回動結合部材４６０によって回動可能に組付けられる。
【０１０９】
収集箱支持台３００とゴミ収集箱４００が収容された雨水貯蔵槽１００におけるグレーチング挿入管１２０に、グレーチング２００が回動可能に組付けられる。グレーチング２００の回動軸２５０が、グレーチング挿入管１２０の回動軸挿入スリット１２３に嵌め込まれて回動することで、開閉がなされる。
【０１１０】
雨水ます１は、図７の（ａ）及び（ｂ）に示すように路面内に埋め込まれるようにして設置されており、雨水貯蔵槽１００の雨水排出管１３０は、下水管渠に連結される。
【０１１１】
雨が降ると、グレーチング２００の濾し格子・歯車歯状バー２２０を通って水がゴミ収集箱４００に流入する。濾し格子・歯車歯状バー２２０を通過することで、濾し格子・歯車歯状バー２２０の間隔よりも大きい異物が１次的に濾し取られるのであり、ゴミ収集箱４００によって、雨水排出孔４１１よりも大きいゴミが２次的に濾し取られて、雨水が貯蔵槽本体１１０の下部へと落下する。貯蔵槽本体１１０の下部の雨水は、雨水排出管１３０を通って下水管渠へと移動する。
【０１１２】
グレーチング２００とゴミ収集箱４００を通ることで、異物が２回にわたって濾し取られれた状態で、雨水が下水管渠に流入するので、下水処理場に流入する雨水の清潔さの状態が、ゴミ収集箱のない従来の雨水ますに比べて著しく良好になり、悪臭も減る。
【０１１３】
雨水ます１が設置された状態で長時間経つと、図１０の（ａ）に示すように収集箱本体４１０の底面にゴミＭが積もることとなる。このように底面にゴミＭが積もると、雨水が底面の雨水排出孔４１１を通って排出されず、収集箱本体４１０内に残留することになる。
【０１１４】
残留する雨水の水位が高くなると、図１０の（ｂ）に示すようにオーバーフローゴム板４５０が水圧によって広がり、残留雨水Ｗが、収集箱本体４１０の外部へと排出されて雨水貯蔵槽１００の下部へと移動する。
【０１１５】
このような方式によって、収集箱本体４１０にゴミが堆積したとしても、残留雨水がオーバーフローゴム板４５０を押し動かして外部へと排出されるので、残余雨水がグレーチング２００の外側へと逆流することを防止でき、残余雨水とゴミが腐敗して悪臭が発生することも減らすことができる。
【０１１６】
ゴミ収集箱４００は、一定の周期ごとに掃除をしなければならない。作業者は回動加圧部材５００の結合フック５１０を、グレーチング２００のフック挿入孔２６０に差し込んで加圧することで、図１１に示すようにグレーチング２００を垂直となるように回動させる。
【０１１７】
ここで、本発明のグレーチング２００は、回動軸２５０と逆側の下部に、複数個の、土砂流入歯列２４０の歯が形成されている。土砂流入歯列２４０は、図７の（ａ）及び（ｂ）に示すようにグレーチング挿入管１２０と最外側補強フレーム２３０ａとの間に土砂Ａが流入すると、土砂Ａを、隣り合う、土砂流入歯列２４０の歯同士の間の隙間から、雨水貯蔵槽１００内へと流入させる。これによって、最外側補強フレーム２３０ａとグレーチング挿入管１２０との間に土砂が積もることが減り、土砂によってグレーチング２００が開放されなかった従来の問題を解決することができる。
【０１１８】
また、グレーチング２００の回動軸２５０が、円弧状に形成された回動軸挿入スリット１２３に沿って移動しつつ、グレーチング２００が開閉されるので、グレーチング挿入管１２０と最外側補強フレーム２３０ａとの間に土砂があっても、左右に遊動可能な空間があり、より円滑な開閉が可能である。
【０１１９】
グレーチング２００が開放されると、作業者は、回動加圧部材５００の結合フック５１０を、収集箱支持台３００の分離輪（わ）３４０に嵌め込んで、収集箱支持台３００が回動する方向に加圧する。これによって、図１２に示すように、収集箱支持台３００が第１回動結合部材３２０によって、雨水貯蔵槽１００に対して９０°以上の角度で回動する。
【０１２０】
この際、ゴミ収集箱４００は収集箱支持台３００と一緒に回動し、内部に収容されたゴミＭと残余雨水Ｗの重さによって第２回動結合部材４６０を中心に回動しつつひっくり返される。これによって、ゴミ収集箱４００内に溜まっていたゴミＭが外部へと排出される。
【０１２１】
また、ゴミ収集箱４００がひっくり返されると、側面ドア４４０は自重によって下方へと開放され、ゴミ収集箱４００内の残余雨水Ｗが雨水貯蔵槽１００へと排出される。
【０１２２】
このような一連の動作によって、作業者は収集箱支持台３００を取り出してゴミ収集箱４００を空にする作業を直接行わず、収集箱支持台３００を回動させる単一の動作だけで、ゴミ収集箱４００がひっくり返されて内部のゴミＭが排出され、側面ドア４４０が開放されて内部の残余雨水Ｗが排出され得る。したがって、作業者の作業動線が短くなり、雨水ます１を掃除及び管理するのにかかる時間を短縮させることができる。
【０１２３】
以上述べてきたように、本発明に係る雨水ますは、グレーチングが雨水貯蔵槽の上部に、回動軸によって回動することで開閉可能に組付けられる。これによって、グレーチングの紛失を防止することができる。
【０１２４】
また、グレーチングの先端の下部に複数個の土砂流入歯が形成され、グレーチングと雨水貯蔵槽との間に流入する土砂を雨水貯蔵槽の下部に流入させる。これによって、グレーチングと雨水貯蔵槽との間に土砂が堆積してグレーチングを開放し難くかった従来の問題を解決することができる。
【０１２５】
そして、グレーチングの回動軸が結合される雨水貯蔵槽の回動軸挿入スリットが円弧状に形成され、回動軸が回動軸挿入スリットに沿って移動しつつグレーチングが開閉されるので、回動軸が移動せずに回転する方式に比べて、より円滑にグレーチングが開閉され得るという長所がある。
【０１２６】
また、本発明の雨水ますは、ゴミ収集箱にオーバーフローゴム板が形成され、内部にゴミが溜まっていても、雨水の水圧によってオーバーフローゴム板が広がって雨水を外部に排出することができる。これによって、雨水が外部に排出され得ずにグレーチングの外側へと逆流することを防止できるのであり、長時間に掛けてゴミが雨水に浸かって悪臭が発生していたのを減らすことができる。
【０１２７】
また、本発明の雨水ますは、収集箱支持台が雨水貯蔵槽に回動可能に組付けられ、ゴミ収集箱が収集箱支持台に回動可能に組付けられる。これによって、作業者が収集箱支持台を回動させる動作に連動してゴミ収集箱が自動でひっくり返されて内部のゴミが外部へと排出され得る。
【０１２８】
また、ゴミ収集箱の側面に組付けられた側面ドアが開放され、内部に残留する残余雨水を外部へと排出させることができる。
【０１２９】
これによって、作業者の作業動線が短くなり、雨水ますの掃除と管理にかかる時間を減らすことができる。
【０１３０】
以上説明した本発明の雨水ますの実施例は例示的なものに過ぎず、本発明の属する技術分野における通常の知識を有する者であれば、それらの実施例から様々な変形及び均等な他の実施例が可能であるという点は明らかであろう。したがって、本発明が上記の詳細な説明で言及した形態に限定されないことが理解できよう。したがって、本発明の真の技術的保護範囲は、添付する特許請求の範囲の技術的思想によって定められるべきである。また、本発明は、添付する特許請求の範囲によって定義される本発明の精神及びその範囲内にある全ての変形物、均等物及び代替物を含むものとして理解すべきである。
【図１】
2021508012.tif 000003
【図２】
2021508012.tif 000004
【図３】
2021508012.tif 000005
【図４】
2021508012.tif 000006
【図５】
2021508012.tif 000007
【図６】
2021508012.tif 000008
【図７（ａ）】
2021508012.tif 000009
【図７（ｂ）】
2021508012.tif 000010
【図８】
2021508012.tif 000011
【図９】
2021508012.tif 000012
【図１０（ａ）】
2021508012.tif 000013
【図１０（ｂ）】
2021508012.tif 000014
【図１１】
2021508012.tif 000015
【図１２】
2021508012.tif 000016
【図１３】
2021508012.tif 000017
【国際調査報告】
2021508012.tif 000018
2021508012.tif 000019
2021508012.tif 000020
2021508012.tif 000021